(57)【特許請求の範囲】
【請求項１】
エプロン本体部と、該エプロン本体部の前面下端部にポケットを形成するポケット形成部とを備えた乳幼児用の使い捨てエプロンにおいて、
上記エプロン本体部の左右両側部は、２つの折曲部が縦方向に形成されるように横断面Ｚ状に折り畳まれ該エプロン本体部の前面側に配置されており、且つ該左右両側部の自由縁端部は該左右両側部の最外側に配置されており、
上記ポケット形成部の左右両側部は、２つの折曲部が縦方向に形成されるように横断面Ｚ状に折り畳まれており、且つ該左右両側部の自由縁端部は該左右両側部の最外側に配置されており、
上記ポケット形成部は、該ポケット形成部及び上記エプロン本体部の横断面形状が対称となるように配置され、それぞれの上記自由縁端部が連設されている
ことを特徴とする乳幼児用の使い捨てエプロン。
【発明の詳細な説明】
【０００１】
【発明の属する技術分野】
本発明は、エプロン本体部と、該エプロン本体部の前面下端部にポケットを形成するポケット形成部とを備えた乳幼児用の使い捨てエプロンに関し、更に詳しくは、よだれや食事時の食べこぼし等を確実に受け止められる乳幼児用の使い捨てエプロンに関する。
【０００２】
【従来の技術及び発明が解決しようとする課題】
従来より、エプロン本体部と、該エプロン本体部の前面下端部にポケットを形成するポケット形成部とを備えた乳幼児用の使い捨てエプロンはよく知られている。この使い捨てエプロンは、口元から直接落下し又は使い捨てエプロンの表面を伝って下降するよだれや食べこぼしをポケットにおいて受け止め、よだれや食べこぼしの床等への落下を回避しようとするものである。
【０００３】
しかし、上述の様な従来の使い捨てエプロンにおいては、ポケットが偏平に形成されているので、口元から直接落下する食べこぼし等がポケットの前方を通過して床等に落下してしまう場合がある。また、容量が小さいために、ポケットに受け止められたよだれや食べこぼしが溢れてしまう場合がある。
【０００４】
従って、本発明の目的は、よだれや食事時の食べこぼし等を確実に受け止められる乳幼児用の使い捨てエプロンを提供することにある。
【０００５】
【課題を解決するための手段】
本発明は、エプロン本体部と、該エプロン本体部の前面下端部にポケットを形成するポケット形成部とを備えた乳幼児用の使い捨てエプロンにおいて、上記エプロン本体部の左右両側部は、２つの折曲部が縦方向に形成されるように横断面Ｚ状に折り畳まれ該エプロン本体部の前面側に配置されており、且つ該左右両側部の自由縁端部は該左右両側部の最外側に配置されており、上記ポケット形成部の左右両側部は、２つの折曲部が縦方向に形成されるように横断面Ｚ状に折り畳まれており、且つ該左右両側部の自由縁端部は該左右両側部の最外側に配置されており、上記ポケット形成部は、該ポケット形成部及び上記エプロン本体部の横断面形状が対称となるように配置され、それぞれの上記自由縁端部が連設されていることを特徴とする乳幼児用の使い捨てエプロンを提供することにより、上記目的を達成したものである。
【０００６】
【発明の実施の形態】
以下、本発明の使い捨てエプロンの一実施形態を図面を参照しながら具体的に説明する。
【０００７】
図１は、本発明の使い捨てエプロンの一実施形態であって折曲片を展開させた状態を示す平面図、図２は図１の使い捨てエプロンにおいて折曲片を折曲させた状態を示す裏面図、図３は図１の使い捨てエプロンのＩ−Ｉ断面図、図４は図１の使い捨てエプロンのＩ’─Ｉ’断面図、図５は図１の使い捨てエプロンを装着した状態を示す図である。
【０００８】
本実施形態の使い捨てエプロン１は、図１及び図２に示す様に、エプロン本体部１０と、該エプロン本体部１０の前面下端部にポケットＰを形成するポケット形成部２０とを備えている。
【０００９】
而して、本実施形態の使い捨てエプロン１では、図３にも示す様に、上記エプロン本体部１０の左右両側部１１，１１は、２つの折曲部（第１の折曲部１１ａ，１１ａ及び第２の折曲部１１ｂ，１１ｂ）が縦方向に形成されるように横断面Ｚ状に折り畳まれ、該エプロン本体部１０の前面側に配置されており、且つ左右両側部１１，１１の自由縁端部１１ｃ，１１ｃは該左右両側部１１，１１の最外側に配置されている。また、上記ポケット形成部２０の左右両側部２１，２１は、図４にも示す様に、２つの折曲部（第１の折曲部１１ａ，１１ａ、第２の折曲部１１ｂ，１１ｂ）が縦方向に形成されるように横断面Ｚ状に折り畳まれており、且つ左右両側部２１，２１の自由縁端部２１ｃ，２１ｃは該左右両側部２１，２１の最外側に配置されている。そして上記ポケット形成部２０は、該ポケット形成部２０及び上記エプロン本体部１０の横断面形状が対称となるように配置されており、それぞれの上記自由縁端部（エプロン本体部１０の自由縁端部１１ｃ，１１ｃとポケット形成部２０の自由縁端部２１ｃ，２１ｃ）が連設されている。
【００１０】
本実施形態について詳述すると、本実施形態の使い捨てエプロン１は、親水性層及び非透水性層の２層状のシートから形成されており、上記エプロン本体部１０の親水性層を装着者側にして装着されるようになっている。
上記親水性層は、パルプ、レーヨン、コットン、またはコットンと合成繊維の混合材等を用いて形成することができる。また上記非透水性層は、ＰＥＴやＰＥ等を用いて形成することができる。この非透水性層は、透湿性を有することが好ましい。
【００１１】
上記エプロン本体部１０は、中央部１２と、該中央部１２に連設される左右両側部１１，１１とよりなっており、該左右両側部１１，１１はそれぞれ、中央部１２との連設部において一旦内側に向けて折曲されて第１の折曲部１１ａ，１１ａが形成されており、更に第１の折曲部１１ａ，１１ａよりも自由縁端部１１ｃ，１１ｃ側において外側に向けて折曲されて第２の折曲部１１ｂ，１１ｂが形成されている。上記第１の折曲部１１ａ，１１ａ及び第２の折曲部１１ｂ，１１ｂはエプロン本体部１０の全長に亘って縦方向に形成されている。
そしてこの左右両側部１１，１１の第１の折曲部１１ａ，１１ａから第２の折曲部１１ｂ，１１ｂまでの間は中央部１２の前面側（中央部１２の非透水性層側）（図３及び図４中上方側）に重なっており、第２の折曲部１１ｂ，１１ｂから自由縁端部１１ｃ，１１ｃまでは更にその前面側（図３及び図４中上方側）に配置されている。また、自由縁端部１１ｃ，１１ｃは、左右両側部１１，１１それぞれの最外側に配置されている。
【００１２】
上記ポケット形成部２０は、エプロン本体部１０の下端に該エプロン本体部１０と一体に形成されている。そしてこのポケット形成部２０の左右両側部２１，２１が上記エプロン本体部１０の左右両側部１１，１１と同様に折曲されており、エプロン本体部１０の第１の折曲部１１ａ，１１ａ及び第２の折曲部１１ｂ，１１ｂがポケット形成部２０に延設されている。またこのポケット形成部２０の左右両側部２１，２１の自由縁端部２１ｃ，２１ｃも、該左右両側部２１，２１それぞれの最外側に配置されている。
このポケット形成部２０は、エプロン本体部１０との境界部から非透水性層を内側にして折り返されてエプロン本体部１０の前面下端部と対向配置されており、該ポケット形成部２０の横断面形状と上記エプロン本体部１０の横断面形状とがその連設部を通る仮想線Ｌを軸線として線対称となっている。
そして、ポケット形成部２０の自由縁端部２１ｃ，２１ｃは、それぞれ対向するエプロン本体部１０の自由縁端部１１ｃ，１１ｃと固着されており、エプロン本体部１０とポケット形成部２０とによって、折り畳まれた左右両側部Ｐ’を有するポケットＰが形成されている。
【００１３】
また、本実施形態の使い捨てエプロン１０は、折曲片３０を備えている。この折曲片３０は、一対の折曲片形成切り込み４０，４０を介してエプロン本体部１０に隣接して形成されており、上記折曲片形成切り込み４０，４０間においてエプロン本体部１０と連設されている。そして、図２に示す様に、折曲片３０をエプロン本体部１０との連設部においてそれぞれの親水性層どうしが内側となるように折曲させることによって、襟ぐり部１３が形成されるようになっている。
【００１４】
この襟ぐり部１３は、エプロン本体部１０及び折曲片３０からなる前面部１３ｂと、エプロン本体部１０のみからなる側部１３ｃ，１３ｃとよりなっている。この襟ぐり部１３には、所定深さの切り込み１４が所定間隔をおいて複数設けられており、切り込み１４間に首部当接片１５が形成されている。
上記切り込み１４は、襟ぐり部１３の前面部１３ｂにおいては、エプロン本体部１０と折曲片３０とに亘るように、首回りの周縁（前面部１３ｂにおいては該エプロン本体部１０と折曲片３０との連設部）１３ａからエプロン本体部１０及び折曲片３０の両方に０．５〜３ｃｍの深さに、０．５〜３ｃｍの間隔をおいて形成されており、折曲片３０を折曲させてエプロン本体部１０に重ねると、エプロン本体部１０に形成された切り込み１４と折曲片３０に形成された切り込み１４とが重なり、エプロン本体部１０と折曲片３０とにより首部当接片１５が形成されるようになっている。また、上記切り込み１４は、襟ぐり部１３の側部１３ｃ，１３ｃにおいては、首回りの周縁１３ａからエプロン本体部１０に０．５〜３ｃｍの深さに、０．５〜３ｃｍの間隔をおいて形成されており、エプロン本体部１０のみから首部当接片１５が形成されている。
【００１５】
更に、エプロン本体部１０の上端部からは、エプロン本体部１０の長手方向に向けて１対の係止片５０，５０がエプロン本体部１０と一体に延設形成されている。この係止片５０，５０は、上記エプロン本体部１０の左右両側部１１，１１と同様に折曲されており、エプロン本体部１０の第１の折曲部１１ａ，１１ａ及び第２の折曲部１１ｂ，１１ｂが係止片５０，５０にも延設されている。
この係止片５０，５０の非透水性層側には、粘着面を有する粘着テープ６０，６０が連設されている。この粘着テープ６０，６０の粘着面は係止片５０，５０の親水性層と同じ側に配置されており、装着に際してこの粘着面を装着者の衣服に粘着させてエプロン本体部１０を装着者の胸前に配置装着するようになっている。
また、係止片５０，５０の親水性層側の面（粘着テープ６０，６０の連設されていない側の面）には剥離処理の施された剥離部５１，５１が設けられており、粘着テープ６０，６０の粘着面を剥離部５１，５１に剥離可能に粘着させて、使用時まで保護しておくようになっている。
【００１６】
これら以外の構成については従来の公知技術と同じである。
【００１７】
上述の構成を有する本実施形態の使い捨てエプロン１においては、未使用時には、粘着テープ６０，６０の粘着面は剥離部５１，５１に粘着されている。
そして、使用に際して、粘着テープ６０，６０の粘着面を剥離部５１，５１から剥離して、図５に示すように、装着者の肩部に粘着させて、エプロン本体部１０を装着者の胸前に配置固定する。また、折曲片３０をエプロン本体部１０との連設部において折曲して衣類の襟ぐり部を折曲片３０とエプロン本体部１０との間に挟み込む。この状態では、首部当接片１５は装着者の首回りに沿って当接される。また、ポケットＰの折り畳まれた左右両側部Ｐ’を広げてマチを形成させ、ポケット形成部２０を装着者の前方に迫り出させ、立体的なポケットＰを形成させる。
【００１８】
本実施形態の使い捨てエプロン１によると、装着時にポケットＰの左右両側部Ｐ’を広げることにより幅方向全長に亘って迫り出したポケットＰを形成させることができる。そしてこのポケットＰは、幅方向全長に亘って立体的に形成されているので、口元から直接落下したよだれや食べこぼしを前方を通過させることなく確実に受け止めることが可能である。またこのポケットＰが大容量となるので、よだれや食べこぼしを溢れさせることなく確実に受け止めることが可能である。
本実施形態の使い捨てエプロン１によると、エプロン本体部１０の左右両側部１１，１１が横断面Ｚ状に縦方向に折り畳まれているので、装着時にこれらの左右両側部１１，１１を広げて側壁を形成させ、ポケットＰの上方においてよだれや食べこぼしが使い捨てエプロン１の側方からこぼれるのを回避することができる。
【００１９】
本実施形態の使い捨てエプロン１によると、エプロン本体部１０とポケット形成部２０との折り畳み形態が横断面形状対称なので、エプロン本体部１０とポケット形成部２０とを一体に形成してそれらの左右両側部１１，１１，２１，２１を一体に折り畳み、ポケット形成部２０をエプロン本体部１０との連設部から折曲させてエプロン本体部１０に重ね、エプロン本体部１０の自由縁端部１１ｃ，１１ｃとポケット形成部２０の自由縁端部２１ｃ，２１ｃとを固着させるという簡単な手法により、１枚のシートから容易に製造することが可能である。
本実施形態の使い捨てエプロン１によると、未使用時に偏平形状に折り畳んでおくことが可能であり、保管や持ち運びが容易である。
【００２０】
本実施形態の使い捨てエプロン１によると、複数の首部当接片１５が装着者の首回りに沿って当接されて、使い捨てエプロン１と装着者の首回りとの間に隙間が生じないので、よだれや食べこぼしが首回りから装着者の胸元に入り込むのを回避することができる。
本実施形態の使い捨てエプロン１によると、衣類の襟ぐりをエプロン本体部１０と折曲片３０とによって挟み込むので、衣類の襟ぐりが汚れるのを回避することができる。
本実施形態の使い捨てエプロン１によると、外側が非透水性層により形成されているので、よだれや飲食物が浸透することがなく、衣類が汚れるのを確実に回避することができる。
本実施形態の使い捨てエプロン１によると、粘着テープ６０，６０を別々に肩部に粘着させて装着するので、ひも等よりも簡単な操作で、髪の毛を巻き込むことなくスムーズな装着が可能である。
【００２１】
本発明は上述した実施形態に限定されるものではなく、各部材の具体的な形状、寸法等は、適宜変更可能である。
例えば、本発明の使い捨てエプロンの材料となるシートは、上述の実施形態の如く親水性層と非透水性層の２層状に形成されていることが好ましいが、非透水性層のみからなるシート等を用いて形成することもできる。
エプロン本体部１０の左右両側部１１，１１とポケット形成部２０の左右両側部２１，２１とは、２つの折曲部が縦方向に形成されるように横断面Ｚ状に且つ該左右両側部１１，１１，２１，２１の自由縁端部１１ｃ，１１ｃ，２１ｃ，２１ｃが該左右両側部１１，１１，２１，２１の最外側に配置され、エプロン本体部１０とポケット形成部２０の横断面形状が対称となるように配置可能に折り畳まれていればよく、より多層に折り畳むことも可能である。また、左右両側部１１，１１，２１，２１の自由縁端部１１ｃ，１１ｃ，２１ｃ，２１ｃは第１の折曲部１１ａ，１１ａと重なっていてもよい。
上記切り込み１４は、襟ぐり部１３全体に設けられていることが好ましいが、例えば、襟ぐり部１３の前面部１３ｂのみ等、一部のみに設けることもできる。またこの切り込み１４は、首回りの周縁１３ａから０．５〜３ｃｍの深さに、０．５〜３ｃｍの間隔をおいて形成するのが、乳幼児に装着させて首部当接片１５を首回りに良好にフィットさせ、よだれや食べこぼしが胸元へ入り込むのを確実に防ぐためには好ましいが、この深さや間隔に限定されるものではない。
【００２２】
上記係止片５０，５０は、上述の実施形態の如くエプロン本体部１０と一体に形成されていなくてもよく、別体として形成したものをエプロン本体１０に固着することもできる。
本発明の使い捨てエプロンは、上記係止片５０，５０を上記実施形態よりも長く設け、該係止片５０，５０の一方に粘着テープを備え他方に被粘着テープを備えて粘着テープを被粘着テープに粘着させたり、面状ファスナーのオス部材とメス部材とを備えて該オス部材と該メス部材とを係合させて、装着させるものとすることもできる。また、上記係止片５０，５０を帯状又は紐状として、これらの係止片５０，５０どうしを結んで装着させるようにすることもできる。
エプロン本体部１０の左右両側部１１，１１の長手方向略中央部に補助粘着テープを連設し、装着時にこの補助粘着テープを装着者の体側に粘着させて装着状態の固定を補助させるようにすることもできる。
【００２３】
【発明の効果】
以上説明したように、本発明の使い捨てエプロンによれば、立体的且つ大容量のポケットが形成されるので、よだれや食事時の食べこぼし等を確実に受け止めることが可能である。
【図面の簡単な説明】
【図１】本発明の使い捨てエプロンの一実施形態であって折曲片を展開させた状態を示す平面図である。
【図２】図１の使い捨てエプロンにおいて折曲片を折曲させた状態を示す裏面図である。
【図３】図３は図１の使い捨てエプロンの図１におけるＩ−Ｉ断面図である。
【図４】図１の使い捨てエプロンの図１におけるＩ’−Ｉ’断面図である。
【図５】図１の使い捨てエプロンを装着した状態を示す図である。
【符号の説明】
１    使い捨てエプロン
１０    エプロン本体部
１１    （エプロン本体部の）左右両側部
１１ａ  第１の折曲部
１１ｂ  第２の折曲部
１１ｃ  （エプロン本体部の）自由縁端部
１２    中央部
１３    襟ぐり部
１３ａ  首回りの周縁
１３ｂ  前面部
１３ｃ  （襟ぐり部の）側部
１４    切り込み
１５    首部当接片
２０    ポケット形成部
２１    （ポケット形成部の）左右両側部
２１ｃ  （ポケット形成部の）自由縁端部
３０    折曲片
４０    折曲片形成切り込み
５０    係止片
５１    剥離部
６０    粘着テープ
Ｐ    ポケット
Ｐ’  （ポケットの）左右両側部
【図１】
0003556398.tif 000002
【図２】
0003556398.tif 000003
【図３】
0003556398.tif 000004
【図４】
0003556398.tif 000005
【図５】
0003556398.tif 000006